(57)【要約】【課題】従来の蛍光灯器具のソケットに取り付けられるＬＥＤを用いたＬＥＤ照明装置では部品交換等が簡単にはできなかったり、できたとしても作業性や信頼性が悪かったり、余計な部品が必要であると言った問題があった。【解決手段】プリント基板に接続された接続端子のピン端子接続部を、蛍光灯器具のソケットに嵌合する一対のピン端子の両方に接続させることで、本体に内蔵されるプリント基板を組み立てる。【選択図】 図２
2011108384.tif 000002
【特許請求の範囲】
【請求項１】
本体（１）と、
蛍光灯器具のソケット（８）に嵌合する一対のピン端子（２）を保持し、本体（１）に接合されるキャップ（３）と、
本体（１）に内蔵され、電気制御回路を搭載したプリント基板（４）と、
プリント基板（４）に実装されたＬＥＤ（５）と、
ピン端子（２）に接続するための接続端子（６）と、
一端がプリント基板（４）に接続され、他端が接続端子（６）に接続された電線（７）とからなり、
接続端子（６）は電線接続部（６ａ）とピン端子接続部（６ｂ）とを金属板にて一体に形成し、ピン端子接続部（６ｂ）は一対のピン端子（２）の両方に接続されることを特徴とするＬＥＤ照明装置。
【請求項２】
キャップ（３）にはロック係り部（３ａ）が形成され、接続端子（６）にはロック係り部（３ａ）に係合するロック部（６ｃ）が形成されていることを特徴とする請求項１記載のＬＥＤ照明装置。
【請求項３】
ピン端子（２）には溝（２ａ）が形成され、接続端子（６）には溝（２ａ）に係合するロック部（６ｄ）が形成されていることを特徴とする請求項１記載のＬＥＤ照明装置。
【発明の詳細な説明】
【技術分野】
【０００１】
この発明は、蛍光灯器具のソケットに取り付けられるＬＥＤ（発光ダイオード）を用いたＬＥＤ照明装置に関するものである。
【背景技術】
【０００２】
既存の蛍光灯等に代わる照明装置として、省エネ、高輝度で長寿命を実現できる白色ＬＥＤを使用したＬＥＤ照明装置が開発されている。
【先行技術文献】
【特許文献】
【０００３】
【特許文献１】特開２００１−３５１４０２号
【特許文献２】特許第４１５６６５７号
【特許文献３】実用新案登録第３１４８１７６号
【０００４】
特許文献１には既設の蛍光灯器具に簡単に取り付けられるＬＥＤ照明装置が提案されている。
【０００５】
特許文献２には組み立て作業の効率化を図ることが出来るＬＥＤ照明装置が提案されている。
【０００６】
図８は従来のＬＥＤ照明装置の内部構造を示したものである。
本体１と、既設の蛍光灯器具に取り付けができる一対のピン端子２を保持し、本体１に接合されるキャップ３と、本体１に内蔵され、電気制御回路を搭載したプリント基板４と、プリント基板４に実装された複数のＬＥＤ５と、一端がプリント基板４に接続され、他端がピン端子２に直接接続された電線７から構成され、ピン端子２と電線７とは加締めや半田付けにて接続している。
しかしながら、加締めや半田付けによる接続は作業性が悪いばかりでなく、接続後は電線の取り外しが難しく、部品交換等が簡単に出来ない構造である。
【０００７】
特許文献３にはＬＥＤ照明部及び／又はＬＥＤ自体の交換を可能とするＬＥＤ照明装置が提案されているが、接点を接触させる構造は瞬断や接触不良のおそれがあり、照明装置としては問題が残る。
【０００８】
ところで、蛍光灯器具の配線は図９に示すようにソケット８の一対の電極のうち、どちらか１極のみしか電源と接続されていない場合があるため、ピン端子２の両方ともプリント基板４と接続しておく必要がある。
その対応として、図８のようにピン端子２の両方とプリント基板４をそれぞれ２本の電線で接続している。
別の対応としては、図１０のようにプリント基板４から引き出された電線７の一端に丸形端子９ａを接続してピン端子２とネジにて接続している。なお、丸形端子９ａとは別の丸形端子９ｂはジャンパー線１０にて相互が短絡され、別のピン端子２とネジにて接続している。
【発明の概要】
【発明が解決しようとする課題】
【０００９】
この様に、従来の方法では部品交換等が簡単にはできなかったり、できたとしても作業性や信頼性が悪かったり、余計な部品が必要であると言った問題があった。
【課題を解決するための手段】
【００１０】
請求項１記載のＬＥＤ照明装置は、本体（１）と、蛍光灯器具のソケット（８）に嵌合する一対のピン端子（２）を保持し、本体（１）に接合されるキャップ（３）と、本体（１）に内蔵され、電気制御回路を搭載したプリント基板（４）と、プリント基板（４）に実装されたＬＥＤ（５）と、ピン端子（２）に接続するための接続端子（６）と、一端がプリント基板（４）に接続され、他端が接続端子（６）に接続された電線（７）とからなり、接続端子（６）は電線接続部（６ａ）とピン端子接続部（６ｂ）とを金属板にて一体に形成し、ピン端子接続部（６ｂ）は一対のピン端子（２）の両方に接続されることを特徴とする。
【００１１】
請求項２記載のＬＥＤ照明装置は、請求項１の発明において、キャップ（３）にはロック係り部（３ａ）が形成され、接続端子（６）にはロック係り部（３ａ）に係合するロック部（６ｃ）が形成されていることを特徴とする。
【００１２】
請求項３記載のＬＥＤ照明装置は、請求項１の発明において、ピン端子（２）には溝（２ａ）が形成され、接続端子（６）には溝（２ａ）に係合するロック部（６ｄ）が形成されていることを特徴とする。
【発明の効果】
【００１３】
請求項１の発明により、ＬＥＤ照明部及び／又はＬＥＤ自体など、部品の交換が簡単に行うことができるばかりでなく、１本の電線と接続端子だけでピン端子とプリント基板との接続作業を容易に行うことができる。
【００１４】
請求項２の発明により、別部品を使うことなく簡単な構造でキャップに接続端子を保持できる。
【００１５】
請求項３の発明により、キャップ３にロック係り部３ａを設ける必要が無いので、キャップ３を成形する金型の構造がシンプルになるというメリットがある。
【図面の簡単な説明】
【００１６】
【図１】本発明（実施例１）のＬＥＤ照明装置の分解図
【図２】本発明（実施例１）のＬＥＤ照明装置の断面図
【図３】実施例１のキャップ３の断面図
【図４】実施例１のキャップ３の内部斜視図
【図５】実施例１の接続端子６の斜視図
【図６】実施例１のキャップ３と接続端子６の組み込み状態図
【図７】実施例１のキャップ３と接続端子６の組み込み状態断面図
【図８】実施例２のキャップ３と接続端子６の斜視図
【図９】実施例３のキャップ３と接続端子６の斜視図
【図１０】実施例３のロック部６ｄの拡大図
【図１１】従来のＬＥＤ照明装置の分解断面図
【図１２】蛍光灯器具の配線図
【図１３】従来のＬＥＤ照明装置の結線図
【発明を実施するための形態】
【００１７】
図１と図２に示すように、本発明のＬＥＤ照明装置は、本体１と、蛍光灯器具のソケット８に嵌合する一対のピン端子２を保持し、本体１に接合されるキャップ３と、本体１に内蔵され、電気制御回路を搭載したプリント基板４と、プリント基板４に実装されたＬＥＤ５と、ピン端子２に接続するための接続端子６と、一端がプリント基板４に接続され、他端が接続端子６に接続された電線７とからなる。
【実施例１】
【００１８】
本体１は、透明又は半透明な樹脂（例えばポリカーボネート樹脂）でできた光拡散部１ａと、アルミ合金などによる放熱部１ｂが組み合わされてできており、円筒状であるが、放熱部１ｂは凹凸形状のヒートシンクにする場合もある。
なお、本体１は必ずしもこの組み合わせである必要はなく、樹脂のみでできていてもよい。
【００１９】
銅合金製のピン端子２を既設の蛍光灯器具に合う寸法にて取り付けたキャップ３は、本体１の両端に接合されるが、内部のメンテナンスのために本体１から取り外しできる構造になっている。
図３には一対のピン端子２を絶縁性樹脂で一体成形したキャップ３が示されているが、ピン端子２はキャップ３に圧入や加締めにて取り付けてもよい。
また図４に示す通り、キャップ３の内側には接続端子６を組み付ける受け溝３ｂと、接続端子６のロック部６ｃを係合するロック係り部３ａが形成されている。
なお、キャップ３の材料は絶縁性樹脂に限らず金属を使用しても構わないが、感電を避けるためにピン端子２とキャップ３は電気的に絶縁されている。
【００２０】
プリント基板４には、整流や電圧制御等を行う電気制御回路（図は省略）と複数のＬＥＤ５が実装され、接続端子６付きの電線７がプリント基板４の端部から引き出されている。
このプリント基板４は本体１に内蔵保持される。
なお、ＬＥＤ５は表面実装型の白色ＬＥＤを使用するが、砲弾型ＬＥＤを使用してもよい。また、ＬＥＤ５の数は照明の仕様により決められる。
【００２１】
接続端子６は銅合金をプレス加工して作られ、図５に示す通り、圧着部６ａと、ピン端子接続部６ｂと、ロック部６ｃで構成されている。
圧着部６ａには電線７が接続される。
ピン端子接続部６ｂは２カ所に設けられ、一対のピン端子２を挿入接続できるようになっている。
図６と図７に示すようにロック部６ｃは断面がＵ字状に形成され、その一端が撓むことでキャップ３に設けられたロック係り部３ａに係合して接続端子６を保持する。
なお、ロック部６ｃは弾性があるので、接続端子６をキャップ３から外す場合は、簡単な工具でロックを解除するだけでよい。
また、接続端子６はキャップ３の受け溝３ｂに組み付けることで、電線７によるあおりの防止になっている。
【実施例２】
【００２２】
図８は実施例２のキャップ３と接続端子６を示す。
実施例２のロック部６ｃは舌片状であることが実施例１と異なり、その他の構造は実施例１と同じである。
このロック部６ｃが撓むことでキャップ３に設けられたロック係り部３ａに係合して接続端子６を保持する。
なお、ロック部６ｃは弾性があるので、接続端子６をキャップ３から外す場合は、簡単な工具でロックを解除するだけでよい。
【実施例３】
【００２３】
図９は実施例３のキャップ３と接続端子６を示す。なお、ここでは実施例１と異なる構成を説明する。
実施例３のピン端子２には、溝２ａが設けられている。
接続端子６にはロック部６ｄが形成されている。このロック部６ｄは溝２ａに係合するようにピン端子接続部６ｂの近傍に位置して設けられ、ロック部６ｄの弾性力にて溝２ａに係合して接続端子６を保持する。図１０に示すようにロック部６ｄに突起６ｄ’を設けることで溝２ａに確実に係合させることができる。
なお、ロック部６ｄは弾性があるので、接続端子６をキャップ３から外す場合は、簡単な工具でロックを解除するだけでよい。
この様に実施例３の構成によれば、実施例１のようにキャップ３にロック係り部３ａを設ける必要が無いので、キャップ３を成形する金型の構造がシンプルになるというメリットがある。
【産業上の利用可能性】
【００２４】
この発明は、蛍光灯器具のソケットに取り付けられるＬＥＤ（発光ダイオード）を用いたＬＥＤ照明装置に利用することができる。
【符号の説明】
【００２５】
１  本体
２  ピン端子
３  キャップ
４  プリント基板
５  ＬＥＤ
６  接続端子
７  電線
【図１】
2011108384.tif 000003
【図２】
2011108384.tif 000004
【図３】
2011108384.tif 000005
【図４】
2011108384.tif 000006
【図５】
2011108384.tif 000007
【図６】
2011108384.tif 000008
【図７】
2011108384.tif 000009
【図８】
2011108384.tif 000010
【図９】
2011108384.tif 000011
【図１０】
2011108384.tif 000012
【図１１】
2011108384.tif 000013
【図１２】
2011108384.tif 000014
【図１３】
2011108384.tif 000015
【手続補正書】
【提出日】平成21年11月13日(2009.11.13)
【手続補正１】
【補正対象書類名】明細書
【補正対象項目名】０００６
【補正方法】変更
【補正の内容】
【０００６】
図１１は従来のＬＥＤ照明装置の内部構造を示したものである。
本体１と、既設の蛍光灯器具に取り付けができる一対のピン端子２を保持し、本体１に接合されるキャップ３と、本体１に内蔵され、電気制御回路を搭載したプリント基板４と、プリント基板４に実装された複数のＬＥＤ５と、一端がプリント基板４に接続され、他端がピン端子２に直接接続された電線７から構成され、ピン端子２と電線７とは加締めや半田付けにて接続している。
しかしながら、加締めや半田付けによる接続は作業性が悪いばかりでなく、接続後は電線の取り外しが難しく、部品交換等が簡単に出来ない構造である。
【手続補正２】
【補正対象書類名】明細書
【補正対象項目名】０００８
【補正方法】変更
【補正の内容】
【０００８】
ところで、蛍光灯器具の配線は図１２に示すようにソケット８の一対の電極のうち、どちらか１極のみしか電源と接続されていない場合があるため、ピン端子２の両方ともプリント基板４と接続しておく必要がある。
その対応として、図１１のようにピン端子２の両方とプリント基板４をそれぞれ２本の電線で接続している。
別の対応としては、図１３のようにプリント基板４から引き出された電線７の一端に丸形端子９ａを接続してピン端子２とネジにて接続している。なお、丸形端子９ａとは別の丸形端子９ｂはジャンパー線１０にて相互が短絡され、別のピン端子２とネジにて接続している。